(57)【特許請求の範囲】
【請求項１】
家屋等の屋根上に葺かれる屋根材において、
前記屋根材の一方の縁部には、表面側に向けて突設し、軒棟方向に連続した突条部が形成してあると共に、他方の縁部の裏面側には、他の屋根材に形成した突条部に係止可能な軒棟方向に連続した係止部が形成してあり、
前記突条部の適所に、内方に向けて突設して雨水の浸入を阻止する先端が尖鋭な水切部を形成し、前記突条部の外方に、軒棟方向に溝部を形成してなる延設片を更に形成したことを特徴とする屋根材。
【発明の詳細な説明】
【技術分野】
【０００１】
本発明は、家屋等の屋根上に葺かれる屋根材に関する。
【背景技術】
【０００２】
従来から、家屋等の屋根上に葺かれる屋根材には種々のものが知られており、例えば、両端縁が互いに相背向するように形成された波形の屋根材において、波方向の両端縁の凹面側に、該端縁に沿って弾性体からなる複数の鰭状突起が並設された屋根材があった（例えば、特許文献１参照。）。
【特許文献１】実開平３−９３５２３号
【発明の開示】
【発明が解決しようとする課題】
【０００３】
しかしながら、この屋根材には、端縁に沿って弾性体からなる複数の鰭状突起を必要とし、製造が困難であるうえ、屋根材の波方向に重合して葺かれる他の屋根材の位置決めを容易にできないという問題があった。
【０００４】
本発明は、かかる課題を解決することを目的とし、隣接して葺かれる屋根材の位置決めを容易にできるうえ、簡易に製造可能な屋根材を提供する。
【課題を解決するための手段】
【０００５】
前記目的を達成するため、
請求項１に係る屋根材は、家屋等の屋根上に葺かれる屋根材において、前記屋根材の一方の縁部には、表面側に向けて突設し、軒棟方向に連続した突条部が形成してあると共に、他方の縁部の裏面側には、他の屋根材に形成した突条部に係止可能な軒棟方向に連続した係止部が形成してあり、前記突条部の適所に、内方に向けて突設して雨水の浸入を阻止する先端が尖鋭な水切部を形成し、前記突条部の外方に、軒棟方向に溝部を形成してなる延設片を更に形成したことを特徴とする。
【０００６】
（削除）
【０００７】
（削除）
【０００８】
（削除）
【０００９】
（削除）
【００１０】
（削除）
【発明の効果】
【００１１】
本発明によれば、次のような効果がある。
【００１２】
請求項１に係る屋根材によれば、一方の縁部の表面側に突条部を形成すると共に、他方の縁部の裏面側に係止部を形成し、屋根上に葺いた他の屋根材の突条部に、前記係止部を係止すれば、屋根上に葺かれた他の屋根材に重合して屋根材を容易に位置決めして葺くことができるうえ、製造も容易にできる。
【００１３】
また、突条部及び係止部は、屋根材の軒棟方向に連続して形成してなるので、重合する屋根材同士を位置決めしながら、確実に係止できる。
【００１４】
（削除）
【００１５】
さらに、突条部の外方には、更に延設片を形成してなるので、雨水等が、突条部を万一乗り越えて浸入したとしても、この延設片によって、前記雨水等の浸入を阻止して、雨漏りが生じることを確実に防止できる。
【００１６】
またさらに、延設片には、軒棟方向に溝部を形成してなるので、雨水等が、突条部を万一乗り越えて浸入したとしても、延設片及び溝部によって、前記雨水等の浸入を確実に阻止して、雨漏りが生じることを更に確実に防止できる。
【００１７】
また、突条部には、内方に向けて突設した水切部を形成してなるので、雨水等が、突条部を乗り越えて浸入することを更に確実に阻止して、雨漏りが生じることを更に確実に防止できる。
【発明を実施するための最良の形態】
【００１８】
以下、本発明に係る屋根材Ａを図面とともに説明する。
【実施例１】
【００１９】
図１は、本発明に係る屋根材Ａの一実施例を示す斜視図であり、図２は、図１の要部を拡大して示した施工状態の断面図である。
【００２０】
この屋根材Ａは、家屋等の屋根上に葺かれるもので、一方の縁部には、表面側に向けて突設する突条部１を形成すると共に、他方の縁部には、裏面側に向けて突設する係止部２を形成してなり、具体的には、この係止部２は、他の屋根材Ａ’に形成した突条部１’に係止可能にしてなり、又、屋根材Ａの突条部１は、他の屋根材Ａ”に形成した係止部２’を係止可能にしてなる。
【００２１】
更に具体的には、屋根材Ａは、瓦状に形成した複数の瓦部Ａ１が、繊維強化プラスチック（ＦＲＰ）によって一体成形されて１つのユニットを形成してなり、昔ながらの燻瓦に比べて、軽量且つ施工性に優れている。
【００２２】
突条部１及び係止部２は、屋根材Ａの一方の端部に、軒棟方向（上下方向）に連続して形成してなり、この突条部１に係止可能な係止部２を、他方の縁部の裏面側に形成してなる。
【００２３】
又、本実施例の突条部１及び係止部２は、軒棟方向（上下方向）に連続して形成したものを例示したが、軒棟方向（上下方向）に間隔をあけて、断続して形成しても構わない。
【００２４】
更に、本実施例では、突条部１の外方には、更に延設片３を形成してなり、ここでは、突条部１の下端から、更に外側の斜め上方に向けて延設したものを例示している。
【００２５】
このような延設片３を更に形成することで、雨水等が突条部１を万一乗り越えて浸入したとしても、この延設片３によって、前記雨水等の浸入を阻止して、雨漏りが生じることを確実に防止できる。
【００２６】
更に、本発明では、延設片３の軒棟方向（上下方向）に、溝部４を形成してなり、ここでは、延設片３の軒棟方向（上下方向）に、間隔をあけて複数の溝部４を形成したものを例示している。
【００２７】
なお、本実施例の溝部４は半円状に形成したものを例示したが、これに限定されるものではなく、例えば、三角状、四角状などの多角形状に形成したものでも構わない。
【００２８】
このような溝部４を形成することで、雨水等が突条部１を万一乗り越えて浸入したとしても、延設片３及び溝部４によって、前記雨水等の浸入を更に確実に阻止して、雨漏りが生じることを更に確実に防止できる。
【００２９】
このように形成した本発明の屋根材Ａは、例えば、図２に示すように、屋根の下地材上に固定した他の屋根材Ａ’の突条部１’に、本発明の屋根材Ａの係止部２を係止して位置決めしたうえで、この屋根材Ａを下地材上に固定して葺き、以下、同じ要領で、屋根材Ａの突条部１に、他の屋根材Ａ”の係止部２”を係止して他の屋根材Ａ”を葺いて行き、複数の屋根材Ａ’、Ａ、Ａ”・・・を家屋等の屋根上に葺くことができる。
【００３０】
このように本発明の屋根材Ａによれば、一方の縁部の表面側に突条部１を形成すると共に、他方の縁部の裏面側に係止部２を形成し、屋根上に葺いた他の屋根材Ａ’の突条部１’に係止部２を係止すれば、屋根上に葺かれた他の屋根材Ａ’に重合して屋根材Ａを容易に位置決めして葺くことができるうえ、製造も容易にできるのである。
【実施例２】
【００３１】
図３（ａ）〜（ｃ）は、本発明に係る屋根材Ａの他の実施例を示す要部を示した拡大断面図である。
【００３２】
なお、図１及び図２と共通する部位には、同一の符号を付して、重複する説明を省略し、ここでは、本実施例の特徴についてのみ説明する。
【００３３】
すなわち、本実施例で示す屋根材Ａは、突条部１の適所には、内方に向けて突設した水切部５を形成している点に特徴がある。
【００３４】
具体的には、図３（ａ）は、水切部５を突条部１の途中に、複数形成したものを示したものであり、図３（ｂ）は、図３（ａ）で示した複数の水切部５の間に、雨水等を貯留可能な雨水溝５１を形成したものを示している。
【００３５】
このような複数の水切部５を形成することで、雨水等が突条部１を乗り越えることを更に防止でき、前記雨水等が浸入して雨漏りが生じることを更に確実に防止できる。
【００３６】
又、図３（ｂ）（ｃ）は、水切部５が突条部１の上端に内方に向けて突出させたものを示しており、このような水切部５を形成することで、該水切部５の突出される傾斜角度が鋭角となり、雨水等が水切部５を乗り越える前に落水して、前記雨水等が浸入して雨漏りが生じることを更に確実に防止できる。
【００３７】
なお、本実施例では、繊維強化プラスチック（ＦＲＰ）の屋根材Ａを例示したが、金属製の屋根材Ａであっても同様の効果を得ることができる。
【図面の簡単な説明】
【００３８】
【図１】本発明に係る屋根材Ａの一実施例を示す斜視図である。
【図２】図１の要部を拡大して示した施工状態の断面図である。
【図３】（ａ）〜（ｃ）は、本発明に係る屋根材Ａの他の実施例を示す要部を示した拡大断面図である。
【符号の説明】
【００３９】
Ａ    屋根材
Ａ’、Ａ”  他の屋根材
１、１’  突条部
２、２”  係止部
３    延設片
４    溝部
５    水切部
【図１】
0005046986.tif 000002
【図２】
0005046986.tif 000003
【図３】
0005046986.tif 000004